(57)【要約】【課題】  意図した選局指示を迅速に行うことが可能なデジタル放送受信装置及びデジタル放送受信装置の選局方法の提供。【解決手段】  デジタル放送受信装置１は、デジタル放送受信機２とリモコン４からなる。デジタル放送受信機２がデジタルテレビ放送チューナー部２０と選局判断部２１と選局記憶部２２を具備する。次回の選局指示の時に行われるチャンネルの選局がリモコン４からダイレクトに行うシーケンシャルな選局指示であり、且つ選局記憶部２２の記憶によって得られた前回の選局指示の情報がデータ放送のコンテンツ内から行う選局指示であった場合に、選局判断部２１がデータ放送のコンテンツ内から選局を行う前のチャンネルを基点としてデジタルテレビ放送チューナー部２０に選局指示を行う。【選択図】        図１
2005311433.tif 000002
【特許請求の範囲】
【請求項１】
デジタル放送の電波に重畳して送信されたデータ放送を受信するデジタル放送受信機と、前記デジタル放送受信機を遠隔操作する遠隔操作手段とからなるデジタル放送受信装置であって、
前記デジタル放送受信機は、前記デジタル放送のチャンネルを選局するデジタル放送選局手段と、現在視聴中のチャンネルの選局が前記遠隔操作手段からダイレクトに行うシーケンシャルな選局指示か前記データ放送のコンテンツ内から行う選局指示かを判断する判断手段と、前記判断手段の判断によって得られた選局指示の情報と選局前のチャンネルを記憶する記憶手段とを具備し、前記判断手段は、次回の選局指示の時に行われるチャンネルの選局が前記遠隔操作手段からダイレクトに行うシーケンシャルな選局指示であり、且つ前記記憶手段の記憶によって得られた前回の選局指示の情報が前記データ放送のコンテンツ内から行う選局指示であった場合に、前記データ放送のコンテンツ内から選局を行う前のチャンネルを基点として前記デジタル放送選局手段に選局指示を行う機能を備えたことを特徴とするデジタル放送受信装置。
【請求項２】
デジタル放送の電波に重畳して送信されたデータ放送を受信するデジタル放送受信機と、前記デジタル放送受信機を遠隔操作する遠隔操作手段とからなり、前記遠隔操作手段は、複数の放送サービスから一つの放送サービスを選択する第１の選択手段と、前記第１の選択手段で選択した前記放送サービスの中から複数の放送メディアの一つを選択する第２の選択手段と、前記第２の選択手段で選択した前記放送メディア内の複数のチャンネルの一つを選択する第３の選択手段とを具備したデジタル放送受信装置であって、
前記デジタル放送受信機は、前記デジタル放送のチャンネルを選局するデジタル放送選局手段と、現在視聴中のチャンネルの選局が前記遠隔操作手段の第３の選択手段からダイレクトに行う選局指示か前記データ放送のコンテンツ内から行う選局指示かを判断する判断手段と、前記判断手段の判断によって得られた選局指示の情報と選局前のチャンネルを記憶する記憶手段とを具備し、前記判断手段は、次回の選局指示の時に行われるチャンネルの選局が前記遠隔操作手段の第３の選択手段からダイレクトに行う選局指示であり、且つ前記記憶手段の記憶によって得られた前回の選局指示の情報が前記データ放送のコンテンツ内から行う選局指示であった場合に、前記データ放送のコンテンツ内から選局を行う前の放送サービス，放送メディアを基点として前記デジタル放送選局手段に選局指示を行う機能を備えたことを特徴とするデジタル放送受信装置。
【請求項３】
デジタル放送の電波に重畳して送信されたデータ放送を受信するデジタル放送受信機と、前記デジタル放送受信機を遠隔操作する遠隔操作手段とからなり、前記遠隔操作手段は、複数の放送サービスから一つの放送サービスを選択する第１の選択手段と、前記第１の選択手段で選択した前記放送サービスの中から複数の放送メディアの一つを選択する第２の選択手段と、前記第２の選択手段で選択した前記放送メディア内の複数のチャンネルの一つを選択する第３の選択手段とを具備したデジタル放送受信装置であって、
前記デジタル放送受信機は、前記デジタル放送のチャンネルを選局するデジタル放送選局手段と、現在視聴中のチャンネルの選局が前記遠隔操作手段からダイレクトに行うシーケンシャルな選局指示か前記データ放送のコンテンツ内から行う選局指示かを判断すると共に、現在視聴中のチャンネルの選局が前記遠隔操作手段の第３の選択手段からダイレクトに行う選局指示か前記データ放送のコンテンツ内から行う選局指示かを判断する判断手段と、前記判断手段の判断によって得られた選局指示の情報と選局前のチャンネルを記憶する記憶手段とを具備し、前記判断手段は、次回の選局指示の時に行われるチャンネルの選局が前記遠隔操作手段からダイレクトに行うシーケンシャルな選局指示であり、且つ前記記憶手段の記憶によって得られた前回の選局指示の情報が前記データ放送のコンテンツ内から行う選局指示であった場合に、前記データ放送のコンテンツ内から選局を行う前のチャンネルを基点として前記デジタル放送選局手段に選局指示を行う機能と、次回の選局指示の時に行われるチャンネルの選局が前記遠隔操作手段の第３の選択手段からダイレクトに行う選局指示であり、且つ前記記憶手段の記憶によって得られた前回の選局指示の情報が前記データ放送のコンテンツ内から行う選局指示であった場合に、前記データ放送のコンテンツ内から選局を行う前の放送サービス，放送メディアを基点として前記デジタル放送選局手段に選局指示を行う機能とを備えたことを特徴とするデジタル放送受信装置。
【請求項４】
上記判断手段は、現在視聴中のチャンネルからダイレクトな選局指示を行う場合に、前回の選局指示が上記データ放送のコンテンツ内から行われた選局指示であったかどうかを上記デジタル放送受信機の表示部，上記遠隔操作手段の表示部，表示手段の表示画面に報知する機能を備えている請求項１乃至３のいずれかに記載のデジタル放送受信装置。
【請求項５】
上記判断手段は、上記デジタル放送選局手段への選局指示時に、前回の選局指示が上記データ放送のコンテンツ内から行う選局指示であった場合に、選局が現在視聴しているチャンネルを基点として選局指示を行うのか、前記データ放送のコンテンツ内から選局を行う前のチャンネルを基点として選局指示を行うのかを予め設定し、上記記憶手段に記憶しておく機能を備えている請求項１に記載のデジタル放送受信装置。
【請求項６】
上記判断手段は、上記デジタル放送選局手段への選局指示時に、前回の選局指示が上記データ放送のコンテンツ内から行う選局指示であった場合に、選局が現在視聴している放送サービス，放送メディアを基点として選局指示を行うのか、前記データ放送のコンテンツ内から選局を行う前の放送サービス，放送メディアを基点として選局指示を行うのかを予め設定し、上記記憶手段に記憶しておく機能を備えている請求項２に記載のデジタル放送受信装置。
【請求項７】
上記判断手段は、上記デジタル放送選局手段への選局指示時に、前回の選局指示が上記データ放送のコンテンツ内から行う選局指示であった場合に、選局が現在視聴しているチャンネルを基点として選局指示を行うのか、前記データ放送のコンテンツ内から選局を行う前のチャンネルを基点として選局指示を行うのかを予め設定し、上記記憶手段に記憶しておく機能と、選局が現在視聴している放送サービス，放送メディアを基点として選局指示を行うのか、前記データ放送のコンテンツ内から選局を行う前の放送サービス，放送メディアを基点として選局指示を行うのかを予め設定し、前記記憶手段に記憶しておく機能とを備えている請求項３に記載のデジタル放送受信装置。
【請求項８】
上記判断手段は、上記デジタル放送選局手段への選局指示時に、次の選局指示を選択させるためにどちらのチャンネルを基点として選局指示を行うのかを上記デジタル放送受信機の表示部，上記遠隔操作手段の表示部，上記表示手段の表示画面に表示させる機能を備えている請求項１に記載のデジタル放送受信装置。
【請求項９】
上記判断手段は、上記デジタル放送選局手段への選局指示時に、次の選局指示を選択させるためにどの放送サービス，放送メディアを基点として選局指示を行うのかを上記デジタル放送受信機の表示部，上記遠隔操作手段の表示部，上記表示手段の表示画面に表示させる機能を備えている請求項２に記載のデジタル放送受信装置。
【請求項１０】
上記判断手段は、上記デジタル放送選局手段への選局指示時に、次の選局指示を選択させるためにどちらのチャンネルを基点として選局指示を行うのかを上記デジタル放送受信機の表示部，上記遠隔操作手段の表示部，上記表示手段の表示画面に表示させる機能と、次の選局指示を選択させるためにどの放送サービス，放送メディアを基点として選局指示を行うのかを上記デジタル放送受信機の表示部，上記遠隔操作手段の表示部，上記表示手段の表示画面に表示させる機能とを備えている請求項３に記載のデジタル放送受信装置。
【請求項１１】
デジタル放送の電波に重畳して送信されたデータ放送を受信するデジタル放送受信装置の選局方法であって、
前記デジタル放送のチャンネルを選局するデジタル放送選局工程と、現在視聴中のチャンネルの選局が遠隔操作手段からダイレクトに行うシーケンシャルな選局指示か前記データ放送のコンテンツ内から行う選局指示かを判断する判断工程と、前記判断工程の判断によって得られた選局指示の情報と選局前のチャンネルを記憶する記憶工程と、次回の選局指示の時に行われるチャンネルの選局が前記遠隔操作手段からダイレクトに行うシーケンシャルな選局指示であり、且つ前記記憶工程の記憶によって得られた前回の選局指示の情報が前記データ放送のコンテンツ内から行う選局指示であった場合に、前記データ放送のコンテンツ内から選局を行う前のチャンネルを基点としてデジタル放送選局手段に選局指示を行う選局指示工程とを含むことを特徴とするデジタル放送受信装置の選局方法。
【請求項１２】
デジタル放送の電波に重畳して送信されたデータ放送を受信するデジタル放送受信装置の選局方法であって、
前記デジタル放送のチャンネルを選局するデジタル放送選局工程と、現在視聴中のチャンネルの選局が遠隔操作手段の放送メディア内に存在している複数のチャンネルの一つを選択可能な選択手段からダイレクトに行う選局指示か前記データ放送のコンテンツ内から行う選局指示かを判断する判断工程と、前記判断工程の判断によって得られた選局指示の情報と選局前のチャンネルを記憶する記憶工程と、次回の選局指示の時に行われるチャンネルの選局が前記遠隔操作手段の選択手段からダイレクトに行う選局指示であり、且つ前記記憶工程の記憶によって得られた前回の選局指示の情報が前記データ放送のコンテンツ内から行う選局指示であった場合に、前記データ放送のコンテンツ内から選局を行う前の放送サービス，放送メディアを基点としてデジタル放送選局手段に選局指示を行う選局指示工程とを含むことを特徴とするデジタル放送受信装置の選局方法。
【請求項１３】
デジタル放送の電波に重畳して送信されたデータ放送を受信するデジタル放送受信装置の選局方法であって、
前記デジタル放送のチャンネルを選局するデジタル放送選局工程と、現在視聴中のチャンネルの選局が遠隔操作手段からダイレクトに行うシーケンシャルな選局指示か前記データ放送のコンテンツ内から行う選局指示かを判断すると共に、現在視聴中のチャンネルの選局が前記遠隔操作手段の放送メディア内に存在している複数のチャンネルの一つを選択可能な選択手段からダイレクトに行う選局指示か前記データ放送のコンテンツ内から行う選局指示かを判断する判断工程と、前記判断工程の判断によって得られた選局指示の情報と選局前のチャンネルを記憶する記憶工程と、次回の選局指示の時に行われるチャンネルの選局が前記遠隔操作手段からダイレクトに行うシーケンシャルな選局指示であり、且つ前記記憶工程の記憶によって得られた前回の選局指示の情報が前記データ放送のコンテンツ内から行う選局指示であった場合に、前記データ放送のコンテンツ内から選局を行う前のチャンネルを基点としてデジタル放送選局手段に選局指示を行うと共に、次回の選局指示の時に行われるチャンネルの選局が前記遠隔操作手段の選択手段からダイレクトに行う選局指示であり、且つ前記記憶工程の記憶によって得られた前回の選局指示の情報が前記データ放送のコンテンツ内から行う選局指示であった場合に、前記データ放送のコンテンツ内から選局を行う前の放送サービス，放送メディアを基点として前記デジタル放送選局手段に選局指示を行う選局指示工程とを含むことを特徴とするデジタル放送受信装置の選局方法。
【発明の詳細な説明】
【技術分野】
【０００１】
本発明は、デジタル放送受信装置及びデジタル放送受信装置の選局方法に関し、特に、デジタル放送の電波に重畳して送信されたデータ放送を受信して表示する機能を備えたデジタル放送受信装置及びデジタル放送受信装置の選局方法に関するものである。
【背景技術】
【０００２】
テレビ受信装置で受信する放送チャンネルの切替操作となる選局操作は、遠隔操作装置であるリモコン等の数字キーで直接的にチャンネルを選択する方法と、リモコンのチャンネル＋／−（アップ／ダウン）キーでチャンネル番号を増加／減少させるようなシーケンシャルな選局の方法と、リモコンの数字キーにチャンネルを割り当てて選局する方法などがある。
【０００３】
ところで、近年のテレビ受信装置においては、ＢＳ（Ｂｒｏａｄｃａｓｔｉｎｇ  Ｓａｔｅｌｌｉｔｅ；放送衛星）デジタル放送、ＣＳ（Ｃｏｍｍｕｎｉｃａｔｉｏｎｓ  Ｓａｔｅｌｌｉｔｅ；通信衛星）デジタル放送、さらに地上波デジタル放送など、一つのテレビ受信装置で様々な放送を受信できるものが増えつつある。
【０００４】
このようなテレビ受信装置の場合、上記リモコンのチャンネル＋／−（アップ／ダウン）キーによる選局操作は、ユーザーがリモコンのチャンネル＋／−（アップ／ダウン）キーを操作することにより、地上波デジタル放送のテレビの各チャンネル（０１１ｃｈ、０２１ｃｈ、…）と、ＢＳデジタル放送のテレビの各チャンネル（１０１ｃｈ、１０２ｃｈ、１０３ｃｈ、…）とが連続して選択されるようになっている。
【０００５】
しかしながら、デジタル放送は、チャンネル数が多く、放送メディアも「テレビ」、「ラジオ」、「データ」と複数種類あり、選局操作をリモコンのチャンネル＋／−（アップ／ダウン）キーで行おうとすると、現在選択されているチャンネルから目的とするチャンネルが離れている場合の選局操作が面倒となり、目的のチャンネルへの円滑な選局が困難となる。
【０００６】
また、上記の問題点を解決するために、遠隔操作装置であるリモコンに、放送を選択する放送キーとして地上波テレビ放送を選択するための「地上」キーとＢＳデジタル放送を選択するための「ＢＳ」キーを設けると共に、それぞれのメディアを選択するメディアキーとしてテレビ放送を選択するための「テレビ」キーとラジオ放送を選択するための「ラジオ」キーと独立データ放送を選択するための「データ」キーを設け、放送キーを選択した後、メディアキーを選択することにより、その放送サービス内のメディア内でのチャンネルアップ「＋」キー／チャンネルダウン「−」キーで選局が行われていたり、リモコンの数字キーにそれぞれのメディア内にあるチャンネルを割り当てて選局できるようにした選局操作装置が特許文献１に開示されている。
【０００７】
ところで、デジタル放送のデータ放送は、メディアの独立データ放送以外にもテレビ放送やラジオ放送の番組にも付随して存在することができる。
例えば、テレビ放送のチャンネルでユーザーがデジタル放送受信装置のリモコンのデータ放送ボタンを押すことにより、データ放送事業者が意図した最初のデータ放送番組画面が表示装置に表示される。
【０００８】
最初のデータ放送番組画面が表示装置に表示された後、ユーザーがリモコンのカーソル
キーや決定キー等を操作することにより、最初のデータ放送番組画面から他の画面に遷移
する。
この最初のデータ放送番組画面から他の画面への遷移も、放送事業者が予め各画面に遷移するためのボタンを配置したものであり、データ放送のコンテンツにより遷移できる先が決定されている。
【０００９】
また、この時に、最初のデータ放送番組画面から他の画面に遷移するだけでなく、放送事業者は、他のチャンネルに選局するようにボタンを配置することも可能である。
【特許文献１】特開２００２−７７７４８号公報
【発明の開示】
【発明が解決しようとする課題】
【００１０】
しかしながら、このような他のチャンネルに選局するようなデータ放送のコンテンツを表示装置の表示画面上に表示し、ボタンを選択することによって他のチャンネルに選局した場合、例えば、最初テレビ放送Ａｃｈのデータ放送を見ていたが、データ放送のコンテンツ内の選局を伴う動作をするためのボタンを選択した場合、ユーザーが他のチャンネルに選局をしたことに気が付く、気が付かないに関係なく違うチャンネルのＡＡＡｃｈへと選局を行う。
【００１１】
その後、今度は、例えば、ユーザーがリモコンのチャンネルアップ「＋」キー／チャンネルダウン「−」キーによりチャンネルの選局を行おうとすると、選局する基点がＡｃｈではなく、現在視聴しているチャンネルのＡＡＡｃｈとなってしまうので、Ａｃｈに対してリモコンのチャンネルアップ「＋」キー／チャンネルダウン「−」キーでチャンネルアップ／ダウンした場合のＢｃｈへ選局が行われず、ＡＡＡｃｈに対してリモコンのチャンネルアップ「＋」キー／チャンネルダウン「−」キーでチャンネルアップ／ダウンした場合のＢＢＢｃｈへ選局が行われてしまったりする。
【００１２】
ユーザーがもし、ＡＡＡｃｈに選局していたことに気が付かなかったり、または、最初はＡＡＡｃｈに選局していたことに気が付いていたが、ＡＡＡｃｈはあくまでもＡｃｈのブランチであるような感覚を持っていた場合、ユーザーがＢＢＢｃｈへの選局に違和感を覚えたり、しかも、ユーザーがＢｃｈへの選局を希望していた場合には、ユーザーの意図した動作をしていないことになる。
【００１３】
さらに、ユーザーがリモコンの放送キーを選択した後、メディアキーを選択するような選局方法のデジタル放送受信装置である場合、データ放送のコンテンツ内からの選局がメディアを飛び越えての選局であった時には、メディアが切り替わってしまう。
【００１４】
そのため、リモコンのチャンネルアップ「＋」キー／チャンネルダウン「−」キーでの選局やリモコンの数字キーにそれぞれのメディア内にあるチャンネルを割り当てて選局できるようにしているデジタル放送受信装置では、データ放送のコンテンツ内からの選局が起こる前のメディア内にあるチャンネルを選局したい時には、直接チャンネルを指定するか、もしくはメディアを一度切り替え、その後、リモコンのチャンネルアップ「＋」キー／チャンネルダウン「−」キーで選局、またはリモコンの数字キーに割り当てられたチャンネルを利用して選局しなければならず、リモコンによる選局に手間がかかった。
【００１５】
そこで、本発明は、上記の課題に鑑み、次回の選局指示の時に行われるチャンネルの選局がユーザーによる遠隔操作手段からデジタル放送受信機に対するダイレクトに行う選局指示であり、前回の選局指示がデータ放送のコンテンツ内から行う選局指示で行われた場合に、データ放送のコンテンツ内から選局を行う前のチャンネル，放送サービス，放送メディアを基点としてデジタル放送選局手段に選局指示を行い、従来のように遠隔操作手段による選局に手間がかからず、ユーザーが意図した選局指示を迅速に行うことが可能なデジタル放送受信装置及びデジタル放送受信装置の選局方法を提供することを目的とする。
【課題を解決するための手段】
【００１６】
この発明は、上記の課題を解決するために、以下の構成を備えている。
本発明のデジタル放送受信装置は、デジタル放送の電波に重畳して送信されたデータ放送を受信するデジタル放送受信機と、前記デジタル放送受信機を遠隔操作する遠隔操作手段とからなるデジタル放送受信装置であって、前記デジタル放送受信機が、前記デジタル放送のチャンネルを選局するデジタル放送選局手段と、現在視聴中のチャンネルの選局が前記遠隔操作手段からダイレクトに行うシーケンシャルな選局指示か前記データ放送のコンテンツ内から行う選局指示かを判断する判断手段と、前記判断手段の判断によって得られた選局指示の情報と選局前のチャンネルを記憶する記憶手段とを具備し、前記判断手段が、次回の選局指示の時に行われるチャンネルの選局が前記遠隔操作手段からダイレクトに行うシーケンシャルな選局指示であり、且つ前記記憶手段の記憶によって得られた前回の選局指示の情報が前記データ放送のコンテンツ内から行う選局指示であった場合に、前記データ放送のコンテンツ内から選局を行う前のチャンネルを基点として前記デジタル放送選局手段に選局指示を行う機能を備えたことを特徴とする構成を有するものである。
【００１７】
上記に記載の本発明によれば、選局指示が遠隔操作手段の通常のチャンネルアップダウンキーなどで行われた場合に、前回の選局指示がデータ放送のコンテンツ内から行う選局指示で行われた時には、選局が現在視聴しているチャンネルを基点として選局指示を行うのではなく、データ放送のコンテンツ内から選局を行う前のチャンネルを基点としてデジタル放送選局手段に選局指示を行うことにより、ユーザーが意図した選局指示を行うことができるようになる。
【００１８】
本発明のデジタル放送受信装置は、デジタル放送の電波に重畳して送信されたデータ放送を受信するデジタル放送受信機と、前記デジタル放送受信機を遠隔操作する遠隔操作手段とからなり、前記遠隔操作手段が、複数の放送サービスから一つの放送サービスを選択する第１の選択手段と、前記第１の選択手段で選択した前記放送サービスの中から複数の放送メディアの一つを選択する第２の選択手段と、前記第２の選択手段で選択した前記放送メディア内の複数のチャンネルの一つを選択する第３の選択手段とを具備したデジタル放送受信装置であって、前記デジタル放送受信機が、前記デジタル放送のチャンネルを選局するデジタル放送選局手段と、現在視聴中のチャンネルの選局が前記遠隔操作手段の第３の選択手段からダイレクトに行う選局指示か前記データ放送のコンテンツ内から行う選局指示かを判断する判断手段と、前記判断手段の判断によって得られた選局指示の情報と選局前のチャンネルを記憶する記憶手段とを具備し、前記判断手段が、次回の選局指示の時に行われるチャンネルの選局が前記遠隔操作手段の第３の選択手段からダイレクトに行う選局指示であり、且つ前記記憶手段の記憶によって得られた前回の選局指示の情報が前記データ放送のコンテンツ内から行う選局指示であった場合に、前記データ放送のコンテンツ内から選局を行う前の放送サービス，放送メディアを基点として前記デジタル放送選局手段に選局指示を行う機能を備えたことを特徴とする構成を有するものである。
【００１９】
上記に記載の本発明によれば、次回の選局指示の時に行われるチャンネルの選局がユーザーによる遠隔操作手段の第３の選択手段からダイレクトに行う選局指示であり、且つ記憶手段の記憶によって得られた前回の選局指示の情報がデータ放送のコンテンツ内から行う選局指示であった場合に、データ放送のコンテンツ内から選局を行う前の放送サービス，放送メディアを基点としてデジタル放送選局手段に選局指示を行うことにより、ユーザーが意図した選局指示を行うことができるようになる。
【００２０】
本発明のデジタル放送受信装置は、デジタル放送の電波に重畳して送信されたデータ放
送を受信するデジタル放送受信機と、前記デジタル放送受信機を遠隔操作する遠隔操作手段とからなり、前記遠隔操作手段が、複数の放送サービスから一つの放送サービスを選択する第１の選択手段と、前記第１の選択手段で選択した前記放送サービスの中から複数の放送メディアの一つを選択する第２の選択手段と、前記第２の選択手段で選択した前記放送メディア内の複数のチャンネルの一つを選択する第３の選択手段とを具備したデジタル放送受信装置であって、前記デジタル放送受信機が、前記デジタル放送のチャンネルを選局するデジタル放送選局手段と、現在視聴中のチャンネルの選局が前記遠隔操作手段からダイレクトに行うシーケンシャルな選局指示か前記データ放送のコンテンツ内から行う選局指示かを判断すると共に、現在視聴中のチャンネルの選局が前記遠隔操作手段の第３の選択手段からダイレクトに行う選局指示か前記データ放送のコンテンツ内から行う選局指示かを判断する判断手段と、前記判断手段の判断によって得られた選局指示の情報と選局前のチャンネルを記憶する記憶手段とを具備し、前記判断手段が、次回の選局指示の時に行われるチャンネルの選局が前記遠隔操作手段からダイレクトに行うシーケンシャルな選局指示であり、且つ前記記憶手段の記憶によって得られた前回の選局指示の情報が前記データ放送のコンテンツ内から行う選局指示であった場合に、前記データ放送のコンテンツ内から選局を行う前のチャンネルを基点として前記デジタル放送選局手段に選局指示を行う機能と、次回の選局指示の時に行われるチャンネルの選局が前記遠隔操作手段の第３の選択手段からダイレクトに行う選局指示であり、且つ前記記憶手段の記憶によって得られた前回の選局指示の情報が前記データ放送のコンテンツ内から行う選局指示であった場合に、前記データ放送のコンテンツ内から選局を行う前の放送サービス，放送メディアを基点として前記デジタル放送選局手段に選局指示を行う機能とを備えたことを特徴とする構成を有するものである。
【００２１】
上記に記載の本発明によれば、選局指示が遠隔操作手段の通常のチャンネルアップダウンキーなどで行われた場合に、前回の選局指示がデータ放送のコンテンツ内から行う選局指示で行われた時には、選局が現在視聴しているチャンネルを基点として選局指示を行うのではなく、データ放送のコンテンツ内から選局を行う前のチャンネルを基点としてデジタル放送選局手段に選局指示を行い、しかも、次回の選局指示の時に行われるチャンネルの選局がユーザーによる遠隔操作手段の第３の選択手段からダイレクトに行う選局指示であり、且つ記憶手段の記憶によって得られた前回の選局指示の情報がデータ放送のコンテンツ内から行う選局指示であった場合に、データ放送のコンテンツ内から選局を行う前の放送サービス，放送メディアを基点としてデジタル放送選局手段に選局指示を行うので、ユーザーが意図した選局指示を行うことができる。
【００２２】
本発明のデジタル放送受信装置は、上記判断手段が、現在視聴中のチャンネルからダイレクトな選局指示を行う場合に、前回の選局指示が上記データ放送のコンテンツ内から行われた選局指示であったかどうかを上記デジタル放送受信機の表示部，上記遠隔操作手段の表示部，表示手段の表示画面に報知する機能を備えている。
【００２３】
上記に記載の本発明によれば、現在視聴中のチャンネルから違うチャンネルへの選局を行う時、データ放送のコンテンツ内から行う選局指示ではなかった場合に、前回の選局指示がデータ放送のコンテンツ内から行った選局指示だったかどうかをデジタル放送受信機の表示部，遠隔操作手段の表示部，表示手段の表示画面にアイコンや文字などの表示または音声などの音でユーザーに報知することにより、ユーザーは選局時に現在視聴しているチャンネルがデータ放送のコンテンツ内から行われた選局指示であるかどうかを認識することができる。
【００２４】
本発明のデジタル放送受信装置は、上記判断手段が、上記デジタル放送選局手段への選
局指示時に、前回の選局指示が上記データ放送のコンテンツ内から行う選局指示であった場合に、選局が現在視聴しているチャンネルを基点として選局指示を行うのか、前記データ放送のコンテンツ内から選局を行う前のチャンネルを基点として選局指示を行うのかを予め設定し、上記記憶手段に記憶しておく機能を備えている。
【００２５】
上記に記載の本発明によれば、デジタル放送選局手段への選局指示時に、前回の選局指示がデータ放送のコンテンツ内から行う選局指示であった場合に、予めどのチャンネルを基点として選局指示をするのかを前もって設定して記憶手段に記憶しておくことができるため、選局時にユーザーの希望するチャンネルに選局することができる。
【００２６】
本発明のデジタル放送受信装置は、上記判断手段が、上記デジタル放送選局手段への選局指示時に、前回の選局指示が上記データ放送のコンテンツ内から行う選局指示であった場合に、選局が現在視聴している放送サービス，放送メディアを基点として選局指示を行うのか、前記データ放送のコンテンツ内から選局を行う前の放送サービス，放送メディアを基点として選局指示を行うのかを予め設定し、上記記憶手段に記憶しておく機能を備えている。
【００２７】
上記に記載の本発明によれば、デジタル放送選局手段への選局指示時に、前回の選局指示がデータ放送のコンテンツ内から行う選局指示であった場合に、予めどの放送サービス，放送メディアを基点として選局指示をするのかを前もって設定して記憶手段に記憶しておくことができるため、選局時にユーザーが希望する放送サービス，放送メディアへの切り替えができ、ユーザーの希望するチャンネルにも選局することができる。
【００２８】
本発明のデジタル放送受信装置は、上記判断手段が、上記デジタル放送選局手段への選局指示時に、前回の選局指示が上記データ放送のコンテンツ内から行う選局指示であった場合に、選局が現在視聴しているチャンネルを基点として選局指示を行うのか、前記データ放送のコンテンツ内から選局を行う前のチャンネルを基点として選局指示を行うのかを予め設定し、上記記憶手段に記憶しておく機能と、選局が現在視聴している放送サービス，放送メディアを基点として選局指示を行うのか、前記データ放送のコンテンツ内から選局を行う前の放送サービス，放送メディアを基点として選局指示を行うのかを予め設定し、前記記憶手段に記憶しておく機能とを備えている。
【００２９】
上記に記載の本発明によれば、デジタル放送選局手段への選局指示時に、前回の選局指示がデータ放送のコンテンツ内から行う選局指示であった場合に、予めどのチャンネルを基点として選局指示をするのかを前もって設定して記憶手段に記憶しておくことができるため、選局時にユーザーの希望するチャンネルに選局することができ、しかも、予めどの放送サービス，放送メディアを基点として選局指示をするのかを前もって設定して記憶手段に記憶しておくことができるため、選局時にユーザーが希望する放送サービス，放送メディアへの切り替えができ、ユーザーの希望するチャンネルにも選局することができる。
【００３０】
本発明のデジタル放送受信装置は、上記判断手段が、上記デジタル放送選局手段への選局指示時に、次の選局指示を選択させるためにどちらのチャンネルを基点として選局指示を行うのかを上記デジタル放送受信機の表示部，上記遠隔操作手段の表示部，上記表示手段の表示画面に表示させる機能を備えている。
【００３１】
上記に記載の本発明によれば、デジタル放送選局手段への選局指示が起こった時に、判断手段が次の選局指示を選択させるためにどちらのチャンネルを基点として選局指示を行うのかをデジタル放送受信機の表示部，遠隔操作手段の表示部，表示手段の表示画面に表示させることにより、ユーザーに次の選局指示を選択させ、ユーザーの希望するチャンネルに選局することができる。
【００３２】
本発明のデジタル放送受信装置は、上記判断手段が、上記デジタル放送選局手段への選
局指示時に、次の選局指示を選択させるためにどの放送サービス，放送メディアを基点として選局指示を行うのかを上記デジタル放送受信機の表示部，上記遠隔操作手段の表示部，上記表示手段の表示画面に表示させる機能を備えている。
【００３３】
上記に記載の本発明によれば、デジタル放送選局手段への選局指示が起こった時に、判断手段が次の選局指示を選択させるためにどの放送サービス，放送メディアを基点として選局指示を行うのかをデジタル放送受信機の表示部，遠隔操作手段の表示部，表示手段の表示画面に表示させることにより、ユーザーに次の選局指示を選択させ、ユーザーが希望する放送サービス，放送メディアへの切り替えができ、ユーザーの希望するチャンネルにも選局することができる。
【００３４】
本発明のデジタル放送受信装置は、上記判断手段が、上記デジタル放送選局手段への選局指示時に、次の選局指示を選択させるためにどちらのチャンネルを基点として選局指示を行うのかを上記デジタル放送受信機の表示部，上記遠隔操作手段の表示部，上記表示手段の表示画面に表示させる機能と、次の選局指示を選択させるためにどの放送サービス，放送メディアを基点として選局指示を行うのかを上記デジタル放送受信機の表示部，上記遠隔操作手段の表示部，上記表示手段の表示画面に表示させる機能とを備えている。
【００３５】
上記に記載の本発明によれば、デジタル放送選局手段への選局指示が起こった時に、判断手段が次の選局指示を選択させるためにどちらのチャンネルを基点として選局指示を行うのかをデジタル放送受信機の表示部，遠隔操作手段の表示部，表示手段の表示画面に表示させるので、ユーザーに次の選局指示を選択させ、ユーザーの希望するチャンネルに選局することができ、しかも、判断手段が次の選局指示を選択させるためにどの放送サービス，放送メディアを基点として選局指示を行うのかをデジタル放送受信機の表示部，遠隔操作手段の表示部、表示手段の表示画面に表示させるので、ユーザーに次の選局指示を選択させ、ユーザーが希望する放送サービス，放送メディアへの切り替えができ、ユーザーの希望するチャンネルにも選局することができる。
【００３６】
本発明のデジタル放送受信装置の選局方法は、デジタル放送の電波に重畳して送信されたデータ放送を受信するデジタル放送受信装置の選局方法であって、前記デジタル放送のチャンネルを選局するデジタル放送選局工程と、現在視聴中のチャンネルの選局が遠隔操作手段からダイレクトに行うシーケンシャルな選局指示か前記データ放送のコンテンツ内から行う選局指示かを判断する判断工程と、前記判断工程の判断によって得られた選局指示の情報と選局前のチャンネルを記憶する記憶工程と、次回の選局指示の時に行われるチャンネルの選局が前記遠隔操作手段からダイレクトに行うシーケンシャルな選局指示であり、且つ前記記憶工程の記憶によって得られた前回の選局指示の情報が前記データ放送のコンテンツ内から行う選局指示であった場合に、前記データ放送のコンテンツ内から選局を行う前のチャンネルを基点としてデジタル放送選局手段に選局指示を行う選局指示工程とを含むことを特徴とするものである。
【００３７】
上記に記載の本発明によれば、選局指示が遠隔操作手段の通常のチャンネルアップダウンキーなどで行われた場合に、前回の選局指示がデータ放送のコンテンツ内から行う選局指示で行われた時には、選局が現在視聴しているチャンネルを基点として選局指示を行うのではなく、選局指示工程でデータ放送のコンテンツ内から選局を行う前のチャンネルを基点としてデジタル放送選局手段に選局指示を行うので、ユーザーが意図した選局指示を行うことができる。
【００３８】
本発明のデジタル放送受信装置の選局方法は、デジタル放送の電波に重畳して送信されたデータ放送を受信するデジタル放送受信装置の選局方法であって、前記デジタル放送のチャンネルを選局するデジタル放送選局工程と、現在視聴中のチャンネルの選局が遠隔操作手段の放送メディア内に存在している複数のチャンネルの一つを選択可能な選択手段からダイレクトに行う選局指示か前記データ放送のコンテンツ内から行う選局指示かを判断する判断工程と、前記判断工程の判断によって得られた選局指示の情報と選局前のチャンネルを記憶する記憶工程と、次回の選局指示の時に行われるチャンネルの選局が前記遠隔操作手段の選択手段からダイレクトに行う選局指示であり、且つ前記記憶工程の記憶によって得られた前回の選局指示の情報が前記データ放送のコンテンツ内から行う選局指示であった場合に、前記データ放送のコンテンツ内から選局を行う前の放送サービス，放送メディアを基点としてデジタル放送選局手段に選局指示を行う選局指示工程とを含むことを特徴とするものである。
【００３９】
上記に記載の本発明によれば、次回の選局指示の時に行われるチャンネルの選局がユーザーによる遠隔操作手段の放送メディア内に存在している複数のチャンネルの一つを選択可能な選択手段からダイレクトに行う選局指示であり、且つ記憶工程の記憶によって得られた前回の選局指示の情報がデータ放送のコンテンツ内から行う選局指示であった場合に、選局指示工程でデータ放送のコンテンツ内から選局を行う前の放送サービス，放送メディアを基点としてデジタル放送選局手段に選局指示を行うので、ユーザーが意図した選局指示を行うことができる。
【００４０】
本発明のデジタル放送受信装置の選局方法は、デジタル放送の電波に重畳して送信されたデータ放送を受信するデジタル放送受信装置の選局方法であって、前記デジタル放送のチャンネルを選局するデジタル放送選局工程と、現在視聴中のチャンネルの選局が遠隔操作手段からダイレクトに行うシーケンシャルな選局指示か前記データ放送のコンテンツ内から行う選局指示かを判断すると共に、現在視聴中のチャンネルの選局が前記遠隔操作手段の放送メディア内に存在している複数のチャンネルの一つを選択可能な選択手段からダイレクトに行う選局指示か前記データ放送のコンテンツ内から行う選局指示かを判断する判断工程と、前記判断工程の判断によって得られた選局指示の情報と選局前のチャンネルを記憶する記憶工程と、次回の選局指示の時に行われるチャンネルの選局が前記遠隔操作手段からダイレクトに行うシーケンシャルな選局指示であり、且つ前記記憶工程の記憶によって得られた前回の選局指示の情報が前記データ放送のコンテンツ内から行う選局指示であった場合に、前記データ放送のコンテンツ内から選局を行う前のチャンネルを基点としてデジタル放送選局手段に選局指示を行うと共に、次回の選局指示の時に行われるチャンネルの選局が前記遠隔操作手段の選択手段からダイレクトに行う選局指示であり、且つ前記記憶工程の記憶によって得られた前回の選局指示の情報が前記データ放送のコンテンツ内から行う選局指示であった場合に、前記データ放送のコンテンツ内から選局を行う前の放送サービス，放送メディアを基点として前記デジタル放送選局手段に選局指示を行う選局指示工程とを含むことを特徴とするものである。
【００４１】
上記に記載の本発明によれば、選局指示が遠隔操作手段の通常のチャンネルアップダウンキーなどで行われた場合に、前回の選局指示がデータ放送のコンテンツ内から行う選局指示で行われた時には、選局が現在視聴しているチャンネルを基点として選局指示を行うのではなく、選局指示工程でデータ放送のコンテンツ内から選局を行う前のチャンネルを基点としてデジタル放送選局手段に選局指示を行い、しかも、次回の選局指示の時に行われるチャンネルの選局がユーザーによる遠隔操作手段の放送メディア内に存在している複数のチャンネルの一つを選択可能な選択手段からダイレクトに行う選局指示であり、且つ記憶工程の記憶によって得られた前回の選局指示の情報がデータ放送のコンテンツ内から行う選局指示であった場合に、選局指示工程でデータ放送のコンテンツ内から選局を行う前の放送サービス，放送メディアを基点としてデジタル放送選局手段に選局指示を行うので、ユーザーが意図した選局指示を行うことができる。
【発明の効果】
【００４２】
以上に述べたように、本発明によれば、次回の選局指示の時に行われるチャンネルの選局がユーザーによる遠隔操作手段からデジタル放送受信機に対するダイレクトに行う選局指示であり、前回の選局指示がデータ放送のコンテンツ内から行う選局指示で行われた場合に、データ放送のコンテンツ内から選局を行う前のチャンネル，放送サービス，放送メディアを基点としてデジタル放送選局手段に選局指示を行い、従来のように遠隔操作手段による選局に手間がかからず、ユーザーが意図した選局指示を迅速に行うことが可能なデジタル放送受信装置及びデジタル放送受信装置の選局方法を得ることができる。
【発明を実施するための最良の形態】
【００４３】
以下、本発明を実施するための最良の形態を図面を参照して詳細に説明する。
【実施例】
【００４４】
本発明のデジタル放送受信装置１は、デジタル放送の電波に重畳して送信されたデータ放送を受信するデジタル放送受信機２と、デジタル放送受信機２を遠隔操作する遠隔操作手段であるリモコン４とからなり、デジタル放送受信機２が、デジタル放送のチャンネルを選局するデジタル放送選局手段であるデジタルテレビ放送チューナー部２０と、現在視聴中のチャンネルの選局がリモコン４からダイレクトに行うシーケンシャルな選局指示かデータ放送のコンテンツ内から行う選局指示かを判断する判断手段である選局判断部２１と、選局判断部２１の判断によって得られた選局指示の情報と選局前のチャンネルを記憶する記憶手段である選局記憶部２２とを具備し、選局判断部２１が、次回の選局指示の時に行われるチャンネルの選局がリモコン４からダイレクトに行うシーケンシャルな選局指示であり、且つ選局記憶部２２の記憶によって得られた前回の選局指示の情報がデータ放送のコンテンツ内から行う選局指示であった場合に、データ放送のコンテンツ内から選局を行う前のチャンネルを基点としてデジタルテレビ放送チューナー部２０に選局指示を行う機能を備えている。
【００４５】
本発明のデジタル放送受信装置１は、デジタル放送の電波に重畳して送信されたデータ放送を受信するデジタル放送受信機２と、デジタル放送受信機２を遠隔操作するリモコン４とからなり、リモコン４が、複数の放送サービスから一つの放送サービスを選択する第１の選択手段であるネットワーク切替キー４０と、ネットワーク切替キー４０で選択した放送サービスの中から複数の放送メディアの一つを選択する第２の選択手段である放送メディア切替キー４１と、放送メディア切替キー４１で選択した放送メディア内の複数のチャンネルの一つを選択する第３の選択手段であるチャンネルアップダウンキー４２，数字キー４３とを具備し、デジタル放送受信機２が、デジタル放送のチャンネルを選局するデジタルテレビ放送チューナー部２０と、現在視聴中のチャンネルの選局がリモコン４のチャンネルアップダウンキー４２若しくは数字キー４３からダイレクトに行う選局指示かデータ放送のコンテンツ内から行う選局指示かを判断する選局判断部２１と、選局判断部２１の判断によって得られた選局指示の情報と選局前のチャンネルを記憶する選局記憶部２２とを具備し、選局判断部２１が、次回の選局指示の時に行われるチャンネルの選局がリモコン４のチャンネルアップダウンキー４２若しくは数字キー４３からダイレクトに行う選局指示であり、且つ選局記憶部２２の記憶によって得られた前回の選局指示の情報がデータ放送のコンテンツ内から行う選局指示であった場合に、データ放送のコンテンツ内から選局を行う前の放送サービス，放送メディアを基点としてデジタルテレビ放送チューナー部２０に選局指示を行う機能を備えている。
【００４６】
本発明のデジタル放送受信装置１は、デジタル放送の電波に重畳して送信されたデータ放送を受信するデジタル放送受信機２と、デジタル放送受信機２を遠隔操作するリモコン４とからなり、リモコン４が、複数の放送サービスから一つの放送サービスを選択するネットワーク切替キー４０と、ネットワーク切替キー４０で選択した放送サービスの中から複数の放送メディアの一つを選択する放送メディア切替キー４１と、放送メディア切替キー４１で選択した放送メディア内の複数のチャンネルの一つを選択するチャンネルアップダウンキー４２，数字キー４３とを具備し、デジタル放送受信機２が、デジタル放送のチャンネルを選局するデジタルテレビ放送チューナー部２０と、現在視聴中のチャンネルの選局がリモコン４からダイレクトに行うシーケンシャルな選局指示かデータ放送のコンテンツ内から行う選局指示かを判断すると共に、現在視聴中のチャンネルの選局がリモコン４のチャンネルアップダウンキー４２若しくは数字キー４３からダイレクトに行う選局指示かデータ放送のコンテンツ内から行う選局指示かを判断する選局判断部２１と、選局判断部２１の判断によって得られた選局指示の情報と選局前のチャンネルを記憶する選局記憶部２２とを具備し、選局判断部２１が、次回の選局指示の時に行われるチャンネルの選局がリモコン４からダイレクトに行うシーケンシャルな選局指示であり、且つ選局記憶部２２の記憶によって得られた前回の選局指示の情報がデータ放送のコンテンツ内から行う選局指示であった場合に、データ放送のコンテンツ内から選局を行う前のチャンネルを基点としてデジタルテレビ放送チューナー部２０に選局指示を行う機能と、次回の選局指示の時に行われるチャンネルの選局がリモコン４のチャンネルアップダウンキー４２若しくは数字キー４３からダイレクトに行う選局指示であり、且つ選局記憶部２２の記憶によって得られた前回の選局指示の情報がデータ放送のコンテンツ内から行う選局指示であった場合に、データ放送のコンテンツ内から選局を行う前の放送サービス，放送メディアを基点としてデジタルテレビ放送チューナー部２０に選局指示を行う機能とを備えている。
【００４７】
本発明のデジタル放送受信装置１は、選局判断部２１が、現在視聴中のチャンネルからダイレクトな選局指示を行う場合に、前回の選局指示がデータ放送のコンテンツ内から行われた選局指示であったかどうかをデジタル放送受信機２の表示部（図示せず），リモコン４の表示部（図示せず），表示手段である映像出力部５の表示画面に報知する機能を備えている。
【００４８】
本発明のデジタル放送受信装置１は、選局判断部２１が、デジタルテレビ放送チューナー部２０への選局指示時に、前回の選局指示がデータ放送のコンテンツ内から行う選局指示であった場合に、選局が現在視聴しているチャンネルを基点として選局指示を行うのか、データ放送のコンテンツ内から選局を行う前のチャンネルを基点として選局指示を行うのかを予め設定し、選局記憶部２２に記憶しておく機能を備えている。
【００４９】
本発明のデジタル放送受信装置１は、選局判断部２１が、デジタルテレビ放送チューナー部２０への選局指示時に、前回の選局指示がデータ放送のコンテンツ内から行う選局指示であった場合に、選局が現在視聴している放送サービス，放送メディアを基点として選局指示を行うのか、データ放送のコンテンツ内から選局を行う前の放送サービス，放送メディアを基点として選局指示を行うのかを予め設定し、選局記憶部２２に記憶しておく機能を備えている。
【００５０】
本発明のデジタル放送受信装置１は、選局判断部２１が、デジタルテレビ放送チューナー部２０への選局指示時に、前回の選局指示がデータ放送のコンテンツ内から行う選局指示であった場合に、選局が現在視聴しているチャンネルを基点として選局指示を行うのか、データ放送のコンテンツ内から選局を行う前のチャンネルを基点として選局指示を行うのかを予め設定し、選局記憶部２２に記憶しておく機能と、選局が現在視聴している放送サービス，放送メディアを基点として選局指示を行うのか、データ放送のコンテンツ内から選局を行う前の放送サービス，放送メディアを基点として選局指示を行うのかを予め設定し、選局記憶部２２に記憶しておく機能とを備えている。
【００５１】
本発明のデジタル放送受信装置１は、選局判断部２１が、デジタルテレビ放送チューナー部２０への選局指示時に、次の選局指示を選択させるためにどちらのチャンネルを基点として選局指示を行うのかをデジタル放送受信機２の表示部，リモコン４の表示部，映像
出力部５の表示画面に表示させる機能を備えている。
【００５２】
本発明のデジタル放送受信装置１は、選局判断部２１が、デジタルテレビ放送チューナー部２０への選局指示時に、次の選局指示を選択させるためにどの放送サービス，放送メディアを基点として選局指示を行うのかをデジタル放送受信機２の表示部，リモコン４の表示部，映像出力部５の表示画面に表示させる機能を備えている。
【００５３】
本発明のデジタル放送受信装置１は、選局判断部２１が、デジタルテレビ放送チューナー部２０への選局指示時に、次の選局指示を選択させるためにどちらのチャンネルを基点として選局指示を行うのかをデジタル放送受信機２の表示部，リモコン４の表示部，映像出力部５の表示画面に表示させる機能と、次の選局指示を選択させるためにどの放送サービス，放送メディアを基点として選局指示を行うのかをデジタル放送受信機２の表示部，リモコン４の表示部，映像出力部５の表示画面に表示させる機能とを備えている。
【００５４】
本発明のデジタル放送受信装置の選局方法は、デジタル放送の電波に重畳して送信されたデータ放送を受信するデジタル放送受信機におけるチャンネルを選局する方法である。
【００５５】
本発明のデジタル放送受信装置の選局方法は、デジタル放送のチャンネルを選局するデジタル放送選局工程と、現在視聴中のチャンネルの選局がリモコン４からダイレクトに行うシーケンシャルな選局指示かデータ放送のコンテンツ内から行う選局指示かを判断する判断工程と、判断工程の判断によって得られた選局指示の情報と選局前のチャンネルを記憶する記憶工程と、次回の選局指示の時に行われるチャンネルの選局がリモコン４からダイレクトに行うシーケンシャルな選局指示であり、且つ記憶工程の記憶によって得られた前回の選局指示の情報がデータ放送のコンテンツ内から行う選局指示であった場合に、データ放送のコンテンツ内から選局を行う前のチャンネルを基点としてデジタルテレビ放送チューナー部２０に選局指示を行う選局指示工程とを含んでいる。
【００５６】
本発明のデジタル放送受信装置の選局方法は、デジタル放送のチャンネルを選局するデジタル放送選局工程と、現在視聴中のチャンネルの選局がリモコン４の放送メディア内に存在している複数のチャンネルの一つを選択可能なチャンネルアップダウンキー４２若しくは数字キー４３からダイレクトに行う選局指示かデータ放送のコンテンツ内から行う選局指示かを判断する判断工程と、判断工程の判断によって得られた選局指示の情報と選局前のチャンネルを記憶する記憶工程と、次回の選局指示の時に行われるチャンネルの選局がリモコン４のチャンネルアップダウンキー４２若しくは数字キー４３からダイレクトに行う選局指示であり、且つ記憶工程の記憶によって得られた前回の選局指示の情報がデータ放送のコンテンツ内から行う選局指示であった場合に、データ放送のコンテンツ内から選局を行う前の放送サービス，放送メディアを基点としてデジタルテレビ放送チューナー部２０に選局指示を行う選局指示工程とを含んでいる。
【００５７】
本発明のデジタル放送受信装置の選局方法は、デジタル放送のチャンネルを選局するデジタル放送選局工程と、現在視聴中のチャンネルの選局がリモコン４からダイレクトに行うシーケンシャルな選局指示かデータ放送のコンテンツ内から行う選局指示かを判断すると共に、現在視聴中のチャンネルの選局がリモコン４の放送メディア内に存在している複数のチャンネルの一つを選択可能なチャンネルアップダウンキー４２若しくは数字キー４３からダイレクトに行う選局指示かデータ放送のコンテンツ内から行う選局指示かを判断する判断工程と、判断工程の判断によって得られた選局指示の情報と選局前のチャンネルを記憶する記憶工程と、次回の選局指示の時に行われるチャンネルの選局がリモコン４からダイレクトに行うシーケンシャルな選局指示であり、且つ記憶工程の記憶によって得られた前回の選局指示の情報がデータ放送のコンテンツ内から行う選局指示であった場合に、データ放送のコンテンツ内から選局を行う前のチャンネルを基点としてデジタルテレビ放送チューナー部２０に選局指示を行うと共に、次回の選局指示の時に行われるチャンネルの選局がリモコン４のチャンネルアップダウンキー４２若しくは数字キー４３からダイレクトに行う選局指示であり、且つ記憶工程の記憶によって得られた前回の選局指示の情報がデータ放送のコンテンツ内から行う選局指示であった場合に、データ放送のコンテンツ内から選局を行う前の放送サービス，放送メディアを基点としてデジタルテレビ放送チューナー部２０に選局指示を行う選局指示工程とを含んでいる。
【００５８】
以下、本発明の実施例に係るデジタル放送受信装置及びデジタル放送受信装置の選局方法について、図面を参照しながら詳細に説明する。
以下の実施例では、特に、地上波による地上波デジタル放送，ＢＳ（放送衛星）を用いたＢＳデジタル放送，東経１１０度ＣＳ（通信衛星）を用いたＣＳデジタル放送、または、これらの複数のデジタル放送を受信できるデジタル放送受信装置について説明する。
【００５９】
図１は、本発明の実施例に係るデジタル放送受信装置の構成を示すブロック図、図２は、本発明の実施例に係るデジタル放送受信装置の遠隔操作手段を示す正面図である。
デジタル放送受信装置１は、図１に示すように、デジタル放送受信機２と、放送局からのデジタル放送の電波を受信する受信アンテナ６と、デジタル放送受信機２を遠隔操作する遠隔操作手段であるリモコン４と、映像信号（ビデオ信号）を出力する表示手段である映像出力部５と、音声信号を出力するスピーカである音声出力部７とから構成されている。
【００６０】
デジタル放送受信機２は、図１に示すように、デジタルテレビ放送チューナー部２０、リモコン受信部２３、選局判断部２１、選局記憶部２２、映像／音声／データ放送分離部２４、ＤＳＭ−ＣＣ（Ｄｉｇｉｔａｌ  Ｓｔｏｒａｇｅ  Ｍｅｄｉａ−Ｃｏｍｍａｎｄ  ａｎｄ  Ｃｏｎｔｒｏｌ）デコーダ部２５、データ放送表示ブラウザ部２６、データ放送表示ブラウザ蓄積部２７、映像／音声信号デコーダ部２８、ビデオ／ＯＳＤ（Ｏｎ  Ｓｃｒｅｅｎ  Ｄｉｓｐｌａｙ）信号合成部２９、ＯＳＤ表示部３０、音声信号合成部３１を備えている。
【００６１】
リモコン４は、図２に示すように、電源キー４４、チャンネル番号をアップ（増加）させるチャンネルアップ「＋」キー４２ａとチャンネル番号をダウン（減少）させるチャンネルダウン「−」キー４２ｂとからなるチャンネルアップダウンキー４２、数字キー４３、地上波デジタル放送を選択するための地上波デジタル放送切替「地上Ｄ」キー４０ａとＢＳデジタル放送を選択するためのＢＳデジタル放送切替「ＢＳ」キー４０ｂとＣＳデジタル放送を選択するためのＣＳデジタル放送切替「ＣＳ１」キー４０ｃとＣＳデジタル放送を選択するためのＣＳデジタル放送切替「ＣＳ２」キー４０ｄとからなるネットワーク切替キー４０、デジタルテレビ放送を選択するためのテレビ放送切替「テレビ」キー４１ａとデジタルラジオ放送を選択するためのラジオ放送切替「ラジオ」キー４１ｂとデジタルデータ放送を選択するためのデータ放送切替「データ」キー４１ｃからなる放送メディア切替キー４１、決定キー４５、「ｄ」キー４６を有している。
【００６２】
放送局から送信されたデジタル放送の電波は、受信アンテナ６を通り、デジタル放送受信機２のデジタルテレビ放送チューナー部２０で受信される。
【００６３】
デジタル放送受信機２のデジタルテレビ放送チューナー部２０で受信されたデジタル放送の信号は、映像／音声／データ放送分離部２４で分離され、映像／音声／データ放送分離部２４で分離された映像／音声信号は、映像／音声信号デコーダ部２８でデコードされ、映像／音声信号デコーダ部２８でデコードされたビデオ信号（映像信号）は、ビデオ／ＯＳＤ信号合成部２９を通って映像出力部５に出力される。
【００６４】
また、映像／音声信号デコーダ部２８でデコードされた音声信号は、データ放送の音声
データと信号を合成する音声信号合成部３１を通って音声出力部（スピーカ）７に出力される。
【００６５】
データ放送が付随しているテレビ放送の場合は、図１に示したリモコン４上にある「ｄ」キー４６を押すことにより、リモコン４の「ｄ」キー４６が押されたという信号をデジタル放送受信機２のリモコン受信部２３が受信し、リモコン４の「ｄ」キー４６が押されたという信号をデジタル放送受信機２のデータ放送表示ブラウザ部２６に報知し、データ放送の提示の準備が始まる。
【００６６】
リモコン４の「ｄ」キー４６が押されたことをデジタル放送受信機２のデータ放送表示ブラウザ部２６に報知されると、まず、デジタル放送受信機２のデータ放送表示ブラウザ蓄積部２７に必要なデータがあるかどうかを調べる。
【００６７】
デジタル放送受信機２のデータ放送表示ブラウザ蓄積部２７に必要なデータが存在する場合には、データ放送表示ブラウザ蓄積部２７がデータをデジタル放送受信機２のデータ放送表示ブラウザ部２６に送信する。
【００６８】
また、デジタル放送受信機２のデータ放送表示ブラウザ蓄積部２７に必要なデータが存在しない場合には、データ放送表示ブラウザ蓄積部２７がデジタル放送受信機２のＤＳＭ−ＣＣデコーダ部２５に対してデータ取得要求を行う。
【００６９】
デジタル放送受信機２のＤＳＭ−ＣＣデコーダ部２５は、映像／音声／データ放送分離部２４で分離されたデータ放送信号から必要なデータを選択し、必要なデータをデコードする。
【００７０】
その後、デジタル放送受信機２のＤＳＭ−ＣＣデコーダ部２５は、デコードした必要なデータの信号をデジタル放送受信機２のデータ放送表示ブラウザ部２６及びデータ放送表示ブラウザ蓄積部２７に送信する。
【００７１】
デジタル放送受信機２のデータ放送表示ブラウザ部２６は、ＤＳＭ−ＣＣデコーダ部２５から送信されてきたデータを解析し、デジタル放送受信機２のＯＳＤ表示部３０で送信されてきたデータに基づいて文字・記号などの描画を行い、さらに、デジタル放送受信機２のビデオ／ＯＳＤ信号合成部２９で描画がビデオ信号と合成されて、データ放送が映像出力部５に出力される。
【００７２】
また、データ放送は、ユーザーの指示により操作可能なコンテンツを含むものである。
例えば、デ−タには、「決定キーを押すと次の画面に遷移する」と記述されており、デジタル放送受信機２のデータ放送表示ブラウザ部２６が「決定キーを押すと次の画面に遷移する」と解析してあったとする。
その元で、ユーザーがリモコン４の決定キー４５を押したとする。
すると、リモコン４の決定キー４５が押されたという信号をデジタル放送受信機２のリモコン受信部２３が受信し、デジタル放送受信機２のリモコン受信部２３で受信した「決定キー」という信号がデジタル放送受信機２のデータ放送表示ブラウザ部２６に報知され、ここで、以前解析してあった結果である「決定キーを押すと次の画面に遷移する」と照らし合わされ、これが合致した時に、デジタル放送受信機２のＯＳＤ表示部３０に現在の画面の描画を止め、次の画面の描画を行うようにする。
【００７３】
このように、単に表示だけでなく、ユーザーの指示により操作可能なコンテンツがある。
但し、これはあくまでも送信する側が操作可能な状態を予めデータに記述しておかなければならない。
【００７４】
ところで、データ放送上においていろいろな操作ができるが、そのなかで選局動作を行う関数も用意されている。
【００７５】
図３は、本発明に係る実施例のデジタル放送受信装置におけるデータ放送で使用されている選局動作を伴うＢＭＬ文書の一例を示す図、図４は、本発明に係る実施例のデジタル放送受信装置におけるデータ放送表示ブラウザ部によるＢＭＬ文書の各要素に対応して表示手段に表示されるＢＭＬ文書表示画面を示す図である。
ここで、図３に示すようなデータ放送で使用されている選局動作を伴うＢＭＬ（Ｂｒｏａｄｃａｓｔ  Ｍａｒｋｕｐ  Ｌａｎｇｕａｇｅ）文書８がデジタル放送受信機２に送られてきたとする。
【００７６】
映像出力部５のＢＭＬ文書表示画面５０Ａには、図４に示すように、株式情報を選択するための「株式」ボタン５１Ａ，天気予報を選択するための「天気」ボタン５１Ｂ，ニュースを選択するための「ニュース」ボタン５１Ｃ，ＡＡＡｃｈに選局するための「ＡＡＡｃｈへ」ボタン５２Ａ，ＢＢＢｃｈに選局するための「ＢＢＢｃｈへ」ボタン５２Ｂ，表示領域を縮小したテレビ画面５３が表示される。
【００７７】
ここで、図４に示す映像出力部５のＢＭＬ文書表示画面５０Ａに表示された「ＡＡＡｃｈへ」ボタン５２Ａは、以下のように定義されている。
＜ｐ  ｉｄ  ＝  ”ＡＡＡ”
ｏｎｃｌｉｃｋ＝”ｓｅｎｋｙｏｋｕ１（）；・・・”
ｓｔｙｌｅ＝”ｌｅｆｔ：３００ｐｘ；ｔｏｐ：３００ｐｘ；ｗｉｄｔｈ：６０ｐｘ；ｈｅｉｇｈｔ：５０ｐｘ；
ｎａｖ−ｉｎｄｅｘ：３；ｎａｖ−ｄｏｗｎ：４；  ・・・”＞
ＡＡＡｃｈへ＜／ｐ＞
【００７８】
特に、ｏｎｃｌｉｃｋ＝”ｓｅｎｋｙｏｋｕ１（）”は、クリックすると、ｓｅｎｋｙｏｋｕ１（）を動作する。という意味である。
【００７９】
さらに、ｓｅｎｋｙｏｋｕ１（）は、
ｆｕｎｃｔｉｏｎ    ｓｅｎｋｙｏｋｕ１（）｛
ｂｒｏｗｓｅｒ．ｅｐｇＴｕｎｅ（”ａｒｉｂ−ｄｃ：／／Ａ．Ａ．ＡＡＡ”）；
｝
と定義されているので、図４に示す映像出力部５のＢＭＬ文書表示画面５０Ａに表示された「ＡＡＡｃｈへ」ボタン５２Ａをクリックすると、ｅｐｇＴｕｎｅ（）を実行する。という意味である。
【００８０】
ｅｐｇＴｕｎｅ（）は、スクリプト関数で実行すると、引数の放送サービス（チャンネル）に選局するというものである。
【００８１】
つまり、図４に示す映像出力部５のＢＭＬ文書表示画面５０Ａに表示された「ＡＡＡｃｈへ」ボタン５２Ａをクリックすると、ＡＡＡｃｈに選局するという動作になる。
【００８２】
このデータ放送を提示中に、もし、リモコン４で映像出力部５のＢＭＬ文書表示画面５０Ａに表示された「ＡＡＡｃｈへ」ボタン５２Ａへカーソルを移動し、ユーザーがリモコン４の決定キー４５を押すと、リモコン４の決定キー４５が押されたという信号をデジタル放送受信機２のリモコン受信部２３が受信し、デジタル放送受信機２のリモコン受信部２３で受信した「決定キー」という信号がデジタル放送受信機２のデータ放送表示ブラウザ部２６に報知され、リモコン受信部２３からの「決定キー」という信号が「ＡＡＡｃｈへ」ボタン５２Ａ上で押されたということを、デジタル放送受信機２のデータ放送表示ブラウザ部２６で解析される。
【００８３】
デジタル放送受信機２のデータ放送表示ブラウザ部２６は、解析結果として、ＢＭＬ文書中に書かれていた選局動作が行われたことをデジタル放送受信機２の選局判断部２１へ通知をする。
【００８４】
そして、デジタル放送受信機２の選局判断部２１で、映像出力部５のＢＭＬ文書表示画面５０Ａに表示された「ＡＡＡｃｈへ」ボタン５２Ａ上でリモコン４の決定キー４５を押すことによって選局動作をするという「データ放送のコンテンツ内からの選局指示」だったという判断が行われる。
【００８５】
この後、デジタル放送受信機２の選局判断部２１からデジタルテレビ放送チューナー部２０へ選局指示が行われ、なおかつ、デジタル放送受信機２の選局記憶部２２に「データ放送のコンテンツ内からの選局指示」だったということをチャンネルと共に記憶しておく。
【００８６】
もし、ここで、リモコン４の決定キー４５ではなく、ユーザーがリモコン４のチャンネルアップ「＋」キー４２ａ／チャンネルダウン「−」キー４２ｂで選局を行った場合、デジタル放送受信機２のデータ放送表示ブラウザ部２６で、リモコン４のチャンネルアップ「＋」キー４２ａ／チャンネルダウン「−」キー４２ｂはデータ放送としては選局指示については記載がないと解析されるので、デジタル放送受信機２の選局判断部２１で「ユーザーによる受信装置に対するダイレクトに行う選局指示」だったと判断され、その後、デジタル放送受信機２のデジタルテレビ放送チューナー部２０に対して選局指示し、デジタル放送受信機２の選局記憶部２２に「ユーザーによる受信装置に対するダイレクトに行う選局指示」だったということをチャンネルと共に記憶しておく。
【００８７】
次に、選局を指示するための処理フローの一例を、図２及び図５を用いて説明する。
図５は、本発明の実施例に係るデジタル放送受信装置におけるデジタル放送受信機の選局指示の処理を説明するフローチャートである。
まず、ユーザーが選局指示を行う（ステップＳ１０１）。
ここでいう選局指示というのは、「ユーザーによる受信装置に対するダイレクトに行う選局指示」、「データ放送のコンテンツ内からの選局指示」のどちらでも良い。
【００８８】
すると、デジタル放送受信機２の選局判断部２１が現在データ放送起動中であるかどうかを判断する（ステップＳ１０２）。
【００８９】
ここで、現在データ放送起動中である場合は（ステップＳ１０２“ＹＥＳ”）、さらに、デジタル放送受信機２の選局判断部２１がデータ放送コンテンツ内に記述されている動作で選局しようとしているかを判断する（ステップＳ１０３）。
【００９０】
ここで、データ放送コンテンツ内に記述されている動作で選局しようとしている場合は（ステップＳ１０３“ＹＥＳ”）、その旨を「データ放送のコンテンツ内からの選局指示」として選局指示前のチャンネルと共にデジタル放送受信機２の選局記憶部２２に記憶し（ステップＳ１０４）、次いで、デジタル放送受信機２のデジタルテレビ放送チューナー部２０がチャンネルを選局する（ステップＳ１０５）。
【００９１】
また、現在データ放送起動中でない場合や（ステップＳ１０２“ＮＯ”）、選局動作自体記述されていなかった場合、及び、データ放送コンテンツ内に記述されている動作で選局しようとしていなかった場合は（ステップＳ１０３“ＮＯ”）、データ放送コンテンツ内からの選局ではないので、「ユーザーによる受信装置に対するダイレクトに行う選局指示」としてチャンネルと共にデジタル放送受信機２の選局記憶部２２に記憶しておき、さらに、カウント値Ｎ＝１とする（ステップＳ１０６）。
【００９２】
次いで、デジタル放送受信機２の選局判断部２１が前回の選局指示はデータ放送コンテンツ内に記述されている選局指示だったかを選局記憶から判断する（ステップＳ１０７）。
【００９３】
ここで、前回の選局指示はデータ放送コンテンツ内に記述されている選局指示でなかった場合は（ステップＳ１０７“ＮＯ”）、そのまま指示されたチャンネルを選局する（ステップＳ１０５）。
【００９４】
また、前回の選局指示はデータ放送コンテンツ内に記述されている選局指示だった場合は（ステップＳ１０７“ＹＥＳ”）、現在のチャンネルは「データ放送のコンテンツ内からの選局指示」だったと判断され、次いで、この前回の選局チャンネルはその前の選局指示がダイレクトな選局指示だったかを判断する（ステップＳ１０８）。
【００９５】
ここで、この前回の選局チャンネルはその前の選局指示がダイレクトな選局指示だった場合は（ステップＳ１０８“ＹＥＳ”）、その選局が「ユーザーによる受信装置に対するダイレクトに行う選局指示」だったと判断され、このダイレクトに行われた前回の選局チャンネルを基点に選局指示し、選局する（ステップＳ１０９）。
【００９６】
また、この前回の選局チャンネルはその前の選局指示がダイレクトな選局指示でなかった場合は（ステップＳ１０８“ＮＯ”）、その選局が「データ放送のコンテンツ内からの選局指示」だったと判断され、次いで、カウント値Ｎ＝Ｎ＋１とし（ステップＳ１１０）、次いで、そのまた一つ前の選局指示がダイレクトな選局指示だったかを判断する（ステップＳ１０８）。
そして、ダイレクトに選局が行われたチャンネルを検索し、そのチャンネルを基点に選局指示し、選局する。
【００９７】
次に、複数の放送サービスから一つの放送サービスを選択し、さらにその選択した放送サービスの中から複数の放送メディアの一つを選択し、さらにその選択した放送メディア内の複数のチャンネルの一つを選択できるようなデジタル放送受信装置の選局指示についての処理フローの一例を、図２及び図６を用いて説明する。
特に、ここでは、放送サービスは「地上波デジタル放送」、「ＢＳデジタル放送」、「東経１１０度ＣＳデジタル放送」として説明し、また、放送メディアは「テレビ」、「ラジオ」、「データ」として説明する。
【００９８】
図６は、本発明の実施例に係るデジタル放送受信装置における遠隔操作手段の第３の選択手段がチャンネルを放送サービス，放送メディア毎に分かれて管理・記憶しているデジタル放送受信機の選局指示の処理を説明するフローチャートである。
まず、図２に示すリモコン４の数字キー４３にはそれぞれの放送サービスのそれぞれの放送メディア毎にチャンネルが予め割り当てられており、また、リモコン４のチャンネルアップ「＋」キー４２ａ／チャンネルダウン「−」キー４２ｂもそれぞれの放送サービスのそれぞれの放送メディア内のチャンネルが順番に選局できるようになっている。
【００９９】
例えば、ユーザーがリモコン４の数字キー４３を使って、数字キー４３に割り当てられたチャンネルを選局指示しようとしたとする（ステップＳ２０１）。
【０１００】
すると、現在の放送サービス，放送メディアをデジタル放送受信機２の選局記憶部２２に記憶する（ステップＳ２０２）。
【０１０１】
次いで、デジタル放送受信機２の選局判断部２１が現在データ放送起動中であるかどうかを判断する（ステップＳ２０３）。
【０１０２】
ここで、現在データ放送起動中である場合は（ステップＳ２０３“ＹＥＳ”）、さらに、デジタル放送受信機２の選局判断部２１がデータ放送コンテンツ内に記述されている動作で選局しようとしているかを判断する（ステップＳ２０４）。
【０１０３】
ここで、データ放送コンテンツ内に記述されている動作で選局しようとしている場合は（ステップＳ２０４“ＹＥＳ”）、その旨を「データ放送のコンテンツ内からの選局指示」として選局指示前のチャンネルと共にデジタル放送受信機２の選局記憶部２２に記憶し（ステップＳ２０５）、次いで、デジタル放送受信機２のデジタルテレビ放送チューナー部２０がチャンネルを選局する（ステップＳ２０６）。
【０１０４】
また、現在データ放送起動中でない場合や（ステップＳ２０３“ＮＯ”）、データ放送コンテンツ内に記述されている動作で選局しようとしていなかった場合は（ステップＳ２０４“ＮＯ”）、データ放送コンテンツ内からの選局ではないので、「ユーザーによる受信装置に対するダイレクトに行う選局指示」としてチャンネルと共にデジタル放送受信機２の選局記憶部２２に記憶しておき、さらに、カウント値Ｎ＝１とする（ステップＳ２０７）。
【０１０５】
次いで、デジタル放送受信機２の選局判断部２１が前回の選局指示はデータ放送コンテンツ内に記述されている選局指示だったかどうかを選局記憶から判断する（ステップＳ２０８）。
【０１０６】
ここで、前回の選局指示はデータ放送コンテンツ内に記述されている選局指示でなかった場合は（ステップＳ２０８“ＮＯ”）、現在のチャンネルは「ユーザーによる受信装置に対するダイレクトに行う選局指示」だったと判断され、そのまま、先ほどと同様に「ユーザーによる受信装置に対するダイレクトに行う選局指示」だったということで指示されたチャンネルの選局を行う（ステップＳ２０６）。
【０１０７】
また、前回の選局指示はデータ放送コンテンツ内に記述されている選局指示だった場合は（ステップＳ２０８“ＹＥＳ”）、現在のチャンネルは「データ放送のコンテンツ内からの選局指示」だったと判断され、次いで、この前回の選局チャンネルはその前の選局指示がダイレクトな選局指示だったかを判断する（ステップＳ２０９）。
【０１０８】
ここで、この前回の選局チャンネルはその前の選局指示がダイレクトな選局指示だった場合（ステップＳ２０９“ＹＥＳ”）、このダイレクトに行われた前回の選局チャンネルの放送サービス，放送メディアと現在の選局チャンネルの放送サービス，放送メディアとが一致しているかどうかを判断する（ステップＳ２１０）。
【０１０９】
ここで、前回の選局チャンネルの放送サービス，放送メディアと現在の選局チャンネルの放送サービス，放送メディアとが一致している場合は（ステップＳ２１０“ＹＥＳ”）、このダイレクトに行われた前回の選局チャンネルを基点に選局指示し、選局する（ステップＳ２１１）。
【０１１０】
ここで、前回の選局チャンネルの放送サービス，放送メディアと現在の選局チャンネルの放送サービス，放送メディアとが一致していない場合は（ステップＳ２１０“ＮＯ”）、このダイレクトに行われた前回の選局チャンネルの放送サービス，放送メディアにデジタル放送受信機２を切り替え、リモコン４の数字キー４３、チャンネルアップ「＋」キー４２ａ／チャンネルダウン「−」キー４２ｂのチャンネルの割り当ても現在の放送サービス，放送メディアから前回の放送サービス，放送メディアに切り替える（ステップＳ２１２）。
その後、このダイレクトに行われた前回の選局チャンネルを基点に選局指示し、選局する（ステップＳ２１１）。
【０１１１】
また、この前回の選局チャンネルはその前の選局指示がダイレクトな選局指示でなかった場合は（ステップＳ２０９“ＮＯ”）、その選局が「データ放送のコンテンツ内からの選局指示」だったと判断され、次いで、カウント値Ｎ＝Ｎ＋１とし（ステップＳ２１３）、次いで、そのまた一つ前の選局指示がダイレクトな選局指示だったかを判断する（ステップＳ２０９）。
そして、ダイレクトに選局が行われたチャンネルが見つかるまで、判断をしていく。
【０１１２】
次に、選局指示時に前回の選局指示がデータ放送コンテンツ内から行った選局動作だったかどうかをデジタル放送受信機の表示部または遠隔操作手段の表示部または表示手段の表示画面にてユーザーに報知する一例を、図５及び図７を用いて説明する。
図７は、本発明の実施例に係るデジタル放送受信装置における選局指示時に前回の選局指示がデータ放送コンテンツ内から行った選局指示だったということをアイコンと文字で表示手段の表示画面に表示している一例を示す図である。
まず、ユーザーが選局指示を行った時に、デジタル放送受信機２の選局判断部２１が前回の選局指示はデータ放送コンテンツ内に記述されている選局指示だったかを選局記憶から判断する（ステップＳ１０７）。
【０１１３】
そして、前回の選局指示が「データ放送のコンテンツ内からの選局指示」だった時に、図７に示すように、映像出力部５のＢＭＬ文書表示画面５０Ａ上にその旨のアイコン５４を提示し、前回の選局指示がデータ放送のコンテンツ内からの選局指示だったということをユーザーに報知する。
【０１１４】
その後、以前、ダイレクトに行われた選局チャンネルを基点に選局指示し、選局する（ステップＳ１０９）。
【０１１５】
ここでは、ユーザーに報知する一例として、前回の選局指示が「データ放送のコンテンツ内からの選局指示」だった時に、アイコン５４を映像出力部５のＢＭＬ文書表示画面５０Ａ上に出すようにしたが、前回の選局指示が「データ放送のコンテンツ内からの選局指示」だったことを図７に示すような文字５５で映像出力部５のＢＭＬ文書表示画面５０Ａ上に表示してユーザーに報知しても良いし、音で報知するようにしても良い。
【０１１６】
また、前回の選局指示が「データ放送のコンテンツ内からの選局指示」だった時に、アイコンや文字などを映像出力部５のＢＭＬ文書表示画面５０Ａ上に出すのみでなく、アイコンや文字などをデジタル放送受信機２の表示部またはリモコン４の表示部に表示してユーザーに報知しても勿論良い。
【０１１７】
さらに、ここでは、前回の選局指示が「データ放送のコンテンツ内からの選局指示」だったことをユーザーに報知した後の動作は、前回の選局指示によって選局するチャンネルを変更したが、前回の選局指示が「データ放送のコンテンツ内からの選局指示」だったことをユーザーに報知した後、前回の選局指示に関係なく、チャンネルを選局するようにしても良い。
また、前回の選局指示が「データ放送のコンテンツ内からの選局指示」だったことをユーザーに報知した後、すぐに選局動作をするのではなく、ユーザーがもう一度リモコン４のキーを押すなどのデジタル放送受信機２に対して選局指示をした時に、選局動作を行うようにしても良い。
【０１１８】
次に、選局が現在視聴している放送サービス，放送メディア，チャンネルを基点として選局指示を行うのか、データ放送コンテンツ内から選局を行う前の放送サービス，放送メディア，チャンネルを基点として選局指示を行うのかを予め設定しておき、選局指示時に、この設定の元に選局方法を変更する一例を、図５，図６及び図８を用いて説明する。
図８は、本発明の実施例に係るデジタル放送受信装置における予め設定で選局の仕方を指定するための選局指示設定画面を表示手段の表示画面に表示している一例を示す図である。
映像出力部５の選局指示設定画面５０Ｂには、図８に示すように、選局指示を設定するための「設定」ボタン５６Ａと、現在視聴している放送サービス，放送メディア，チャンネルを基点として選局指示を行うための「そのまま選局」ボタン５６Ｂと、データ放送コンテンツ内から選局を行う前の放送サービス，放送メディア，チャンネルを基点として選局指示を行うための「データ放送による選局前のｃｈに選局」ボタン５６Ｃが表示される。
【０１１９】
まず、図８に示すように、選局時の動作を予め決定しておく。
つまり、選局指示がきた時に、図５のステップＳ１０７及び図６のステップＳ２０８における前回の選局指示はデータ放送コンテンツ内に記述されている選局指示だったかどうかの条件判定をするのかしないのかを予め決めておくことができる。
【０１２０】
次に、選局指示時に次の選局動作を選択させる一例を、図５，図６及び図９を用いて説明する。
図９は、本発明の実施例に係るデジタル放送受信装置における選局指示時に次の選局動作をどちらの選局で選局するのかを選択させる選局選択ウインドウを表示手段の選局指示設定画面上にウインドウ表示している一例を示す図である。
映像出力部５のＢＭＬ文書表示画面５０Ａ上には、図９に示すように、選局指示時に次の選局動作をどちらの選局で選局するのかを選択させるための選局選択ウインドウ５７がウインドウ表示される。
【０１２１】
つまり、図５のステップＳ１０９及び図６のステップＳ２１１では、以前のダイレクトに行われた選局チャンネルを選局するようにしておいたが、図９に示すように、選局するチャンネルを選局選択ウインドウ５７でユーザーに選択させても良い。
【０１２２】
本実施例では、デジタル放送受信装置において、現在のチャンネルの選局は通常行われている遠隔操作手段のチャンネルアップダウンキーによる選局指示や遠隔操作手段のそれぞれにチャンネルを割り当てた数字キーによる選局指示で行われたのか、直接チャンネル番号を入力する選局指示で行われたのか、データ放送のコンテンツ内から行う選局指示で行われたのかを判断し、前記判断によって得た選局指示の情報と選局前のチャンネルを記憶しておき、次回行われる選局指示がユーザーにより遠隔操作手段からデジタル放送受信機に対してダイレクトに選局指示する場合には、前記記憶によって得た選局指示の情報で、前回のデータ放送内に記述されていた動作をユーザーが行ったことにより選局指示した場合は、選局が現在視聴しているチャンネルを基点として選局指示を行うのではなく、データ放送のコンテンツ内から選局を行う前のチャンネルを基点として選局指示を行うことで、ユーザーが意図した選局指示を行うことができる。
【０１２３】
また、本実施例では、現在のチャンネルから違うチャンネルの選局を行う時、データ放送のコンテンツ内から行う選局指示ではない場合には、前回の選局指示がデータ放送のコンテンツ内から行った選局指示だったかどうかをデジタル放送受信機の表示部，遠隔操作手段の表示部，表示手段の表示画面に文字やアイコンなどの表示、または音声などの音でユーザーに報知することにより、ユーザーは現在視聴しているチャンネルがデータ放送のコンテンツ内から選局されてきたものだと認識でき、ユーザーが意図した選局指示を行う
ことができる。
【０１２４】
また、本実施例では、デジタル放送選局手段への選局指示時に、前回の選局指示がデータ放送のコンテンツ内から行った選局指示の時には、選局が現在視聴しているチャンネルを基点として選局指示を行うのか、データ放送のコンテンツ内から選局を行う前のチャンネルを基点として選局指示を行うのかを予め設定、記憶しておくことができることで、選局指示時に、どのチャンネルを基点として選局指示をするのかを前もって設定しておくことができ、選局時にユーザーの希望するチャンネルに選局することができる。
【０１２５】
さらに、本実施例では、選局指示が起こった時に、どちらのチャンネルを基点として選局指示を行うのかをデジタル放送受信機の表示部，遠隔操作手段の表示部，表示手段の表示画面などに表示させることにより、次の選局指示を選択させることで、ユーザーが希望するチャンネルに選局することができる。
【０１２６】
なお、ここでは、主にデジタルテレビ放送について述べたが、これはデジタルテレビ放送に限らず、データ放送が受信できるデジタルラジオ放送でも、移動体放送でも勿論良い。
【０１２７】
なお、現在は、データ放送はＢＭＬ文書を元に構成されているが、今後、他の規格になったとしても、選局を伴う動作をするものであれば、この発明を利用することが可能である。
【図面の簡単な説明】
【０１２８】
【図１】本発明の実施例に係るデジタル放送受信装置の構成を示すブロック図。
【図２】本発明の実施例に係るデジタル放送受信装置の遠隔操作手段を示す正面図。
【図３】本発明に係る実施例のデジタル放送受信装置におけるデータ放送で使用されている選局動作を伴うＢＭＬ文書の一例を示す図。
【図４】本発明に係る実施例のデジタル放送受信装置におけるデータ放送表示ブラウザ部によるＢＭＬ文書の各要素に対応して表示手段に表示されるＢＭＬ文書表示画面を示す図。
【図５】本発明の実施例に係るデジタル放送受信装置におけるデジタル放送受信機の選局指示の処理を説明するフローチャート。
【図６】本発明の実施例に係るデジタル放送受信装置における遠隔操作手段の第３の選択手段がチャンネルを放送サービス，放送メディア毎に分かれて管理・記憶しているデジタル放送受信機の選局指示の処理を説明するフローチャート。
【図７】本発明の実施例に係るデジタル放送受信装置における選局指示時に前回の選局指示がデータ放送コンテンツ内から行った選局指示だったということをアイコンと文字で表示手段の表示画面に表示している一例を示す図。
【図８】本発明の実施例に係るデジタル放送受信装置における予め設定で選局の仕方を指定するための選局指示設定画面を表示手段の表示画面に表示している一例を示す図。
【図９】本発明の実施例に係るデジタル放送受信装置における選局指示時に次の選局動作をどちらの選局で選局するのかを選択させる選局選択ウインドウを表示手段の選局指示設定画面上にウインドウ表示している一例を示す図。
【符号の説明】
【０１２９】
１  デジタル放送受信装置
２  デジタル放送受信機
４  リモコン（遠隔操作手段）
５  映像出力部（表示手段）
６  受信アンテナ
７  音声出力部
８  ＢＭＬ文書
２０  デジタルテレビ放送チューナー部（デジタル放送選局手段）
２１  選局判断部（判断手段）
２２  選局記憶部（記憶手段）
２３  リモコン受信部
２４  映像／音声／データ放送分離部
２５  ＤＳＭ−ＣＣデコーダ部
２６  データ放送表示ブラウザ部
２７  データ放送表示ブラウザ蓄積部
２８  映像／音声信号デコーダ部
２９  ビデオ／ＯＳＤ信号合成部
３０  ＯＳＤ表示部
３１  音声信号合成部
４０  ネットワーク切替キー（第１の選択手段）
４０ａ  地上波デジタル放送切替「地上Ｄ」キー
４０ｂ  ＢＳデジタル放送切替「ＢＳ」キー
４０ｃ  ＣＳデジタル放送切替「ＣＳ１」キー
４０ｄ  ＣＳデジタル放送切替「ＣＳ２」キー
４１  放送メディア切替キー（第２の選択手段）
４１ａ  テレビ放送切替「テレビ」キー
４１ｂ  ラジオ放送切替「ラジオ」キー
４１ｃ  データ放送切替「データ」キー
４２  チャンネルアップダウンキー（第３の選択手段）
４２ａ  チャンネルアップ「＋」キー
４２ｂ  チャンネルダウン「−」キー
４３  数字キー（第３の選択手段）
４４  電源キー
４５  決定キー
４６  「ｄ」キー
５０Ａ  ＢＭＬ文書表示画面
５０Ｂ  選局指示設定画面
５１Ａ  「株式」ボタン
５１Ｂ  「天気」ボタン
５１Ｃ  「ニュース」ボタン
５２Ａ  「ＡＡＡｃｈへ」ボタン
５２Ｂ  「ＢＢＢｃｈへ」ボタン
５３  テレビ画面
５４  アイコン
５５  文字
５６Ａ  「設定」ボタン
５６Ｂ  「そのまま選局」ボタン
５６Ｃ  「データ放送による選局前のｃｈに選局」ボタン
５７  選局選択ウインドウ
【図１】
2005311433.tif 000003
【図２】
2005311433.tif 000004
【図３】
2005311433.tif 000005
【図４】
2005311433.tif 000006
【図５】
2005311433.tif 000007
【図６】
2005311433.tif 000008
【図７】
2005311433.tif 000009
【図８】
2005311433.tif 000010
【図９】
2005311433.tif 000011